(57)【要約】【課題】波長多重される光信号を送信する装置における光送信器の波長ずれを簡易な構成により校正する。【解決手段】ＯＬＴ２は、自装置宛ての波長多重信号をＡＷＧフィルタ４が波長分波して得られた異なる波長の光信号それぞれを受信する１台以上の光受信器２２と、光受信器２２により受信した光信号の受光パワーと受光パワーの基準値との差分が閾値以内となるように、光信号の送信元のＯＮＵ３に光送信器３２が光信号の送信に用いる波長を遷移させるよう指示する波長調整指示を送信する監視制御部２３と、を備える。【選択図】図１
2019153936.tif 000002
【特許請求の範囲】
【請求項１】
自光通信装置宛ての波長多重信号を波長分波器が波長分波して得られた異なる波長の光信号それぞれを受信する１台以上の光受信器と、
前記光受信器により受信した光信号のパワーである受光パワーと受光パワーの基準値との差分が閾値以内となるように、前記光信号の送信元の他の光通信装置である送信元装置に光送信器が光信号の送信に用いる波長を遷移させるよう指示する波長調整指示を送信する監視制御部と、
を備える光通信装置。
【請求項２】
前記監視制御部は、前記送信元装置から前記光送信器における光送信パワーの通知を受け、通知された前記光送信パワーと前記光送信器における光送信パワーの初期値との比較に基づいて前記光送信器の異常を検出する、
請求項１に記載の光通信装置。
【請求項３】
前記監視制御部は、前記光受信器により受信した光信号の受光パワーと前記基準値との差分が前記閾値以上であると判断した場合に、前記送信元装置に前記光送信器における光送信パワーを通知するよう指示し、当該指示に応じて前記送信元装置から通知された前記光送信パワーが前記初期値から所定以上減少したときには前記光送信器の異常と判断し、前記初期値からの減少が前記所定以内であるときには前記光送信器における波長ずれの発生と判断する、
請求項２に記載の光通信装置。
【請求項４】
前記波長分波器は、透過特性がガウシアン型のフィルタであり、
前記監視制御部は、前記光受信器により受信した光信号の受光パワーと前記基準値との差分が前記閾値以上であると判断した場合に、前記送信元装置に前記波長調整指示を送信し、前記波長調整指示の送信前後の受光パワーの比較により判断した波長ずれの方向に基づいて波長を遷移させるよう指示する波長調整指示を前記送信元装置に送信する、
請求項１から請求項３のいずれか一項に記載の光通信装置。
【請求項５】
前記波長分波器は、透過特性がガウシアン型のフィルタであり、
前記監視制御部は、前記光受信器により受信した光信号の受光パワーと前記基準値との差分が前記閾値以上であると判断した場合に、前記送信元装置に波長を一定量遷移させるよう指示する前記波長調整指示を送信し、前記波長調整指示の送信を所定回数繰り返しても前記差分が前記閾値以内にならない場合に、前記送信元装置に前記光送信器における光送信パワーを通知するよう指示し、当該指示に応じて前記送信元装置から通知された光送信パワーと前記初期値との比較に基づいて、前記光送信器の異常又は他の故障の発生を判断する、
請求項２に記載の光通信装置。
【請求項６】
前記波長分波器は、透過特性がフラットトップ型のフィルタであり、
前記監視制御部は、前記送信元装置に前記光送信器が光信号の送信に用いる波長を所定の範囲内で長波長側及び短波長側へ遷移させるよう指示する波長調整指示を繰り返し送信し、前記波長調整指示の送信後に前記光受信器により受信した光信号の受光パワーと前記基準値との差分が前記閾値以上である場合に前記光送信器において波長ずれが発生したと判断する、
請求項１から請求項３のいずれか一項に記載の光通信装置。
【請求項７】
光通信装置が実行する波長校正方法であって、
自光通信装置宛ての波長多重信号を波長分波器が波長分波して得られた異なる波長の光信号それぞれを１台以上の光受信器により受信する受信ステップと、
前記光受信器により受信した光信号のパワーである受光パワーと受光パワーの基準値との差分が閾値以内となるように、前記光信号の送信元の他の光通信装置である送信元装置に光送信器が光信号の送信に用いる波長を遷移させるよう指示する波長調整指示を送信する監視制御ステップと、
を有する波長校正方法。
【請求項８】
自光通信装置宛ての波長多重信号を波長分波器が波長分波して得られた異なる波長の光信号それぞれを受信する１台以上の光受信器を有する光通信装置に用いられるコンピュータに、
前記光受信器により受信した光信号のパワーである受光パワーと受光パワーの基準値との差分が閾値以内となるように、前記光信号の送信元の他の光通信装置である送信元装置に光送信器が光信号の送信に用いる波長を遷移させるよう指示する波長調整指示を送信する監視制御ステップ、
を実行させるプログラム。
【発明の詳細な説明】
【技術分野】
【０００１】
本発明は、光通信装置、波長校正方法及びプログラムに関する。
【背景技術】
【０００２】
現在、急速に増え続けるトラヒック需要に対応するため、ＦＴＴＨ（Fiber to the home）サービスを提供する光アクセスシステムとして導入されているＰＯＮ（Passive optical network）システムの将来の更なる発展を目指し、ＷＤＭ（Wavelength division multiplexing）−ＰＯＮやＷＤＭ／ＴＤＭ（Time division multiplexing）−ＰＯＮシステムが検討されている。
【０００３】
現行のＦＴＴＨでは、ＴＤＭ−ＰＯＮシステムの一種である、１Ｇ−ＥＰＯＮ（Gigabit-Ethernet（登録商標） passive optical network）が適用されている。これに対し、波長軸での多重を行うＷＤＭ−ＰＯＮシステムやＷＤＭ／ＴＤＭ−ＰＯＮシステムの適用により、一層の伝送容量拡大が見込める。
【０００４】
ＷＤＭ−ＰＯＮやＷＤＭ／ＴＤＭ−ＰＯＮのような波長多重化するＰＯＮでは、ＯＮＵ（Optical network unit、光加入者線ネットワーク装置）に波長可変レーザを搭載し、単一品種化を実現することで、ＯＮＵの波長管理を簡易にする手法が用いられている（例えば、非特許文献１参照）。しかし、ＯＮＵに搭載される光トランシーバにおいて、波長可変レーザは、初期設定波長のずれや経年劣化による波長のずれを生じる。波長ずれが生じると、波長合分波フィルタの透過特性の中心波長からずれが生じて主信号の受光パワーが減少し、通信断や、隣接する透過チャネルへのクロストーク発生に伴う隣接波長の主信号通信断を引き起こす。このため、波長ずれを検出し、校正を行う機能が必要となる。
【０００５】
図１１は、従来技術を用いた光通信システム９１を示す図である。光通信システム９１では、１台のＯＬＴ（Optical line terminal；光加入者線終端装置）９２と複数のＯＮＵ９３とが、波長合分波器（波長合分波フィルタ）９４、パワーモニタ用光分岐器９５、光パワースプリッタ９６、及び、光ファイバ９７、９８を介して接続される。ＯＬＴ９２は、収容局側装置であり、ＯＮＵ９３はユーザ側装置である。ＯＮＵ９３からＯＬＴ９２への方向を上り、ＯＬＴ９２からＯＮＵ９３への方向を下りと記載する。
【０００６】
ＯＬＴ９２には、ＯＮＵ９３と同数の光送受信器（Ｔｘ及びＲｘ）が配置される。ＯＬＴ９２の光送受信器は、各ＯＮＵ９３に割り当てられたそれぞれ異なる上り波長／下り波長を用いて通信を行う。ＯＮＵ９３の光送受信器内の送信器（Ｔｘ）には温度調節型半導体レーザや電流調整型半導体レーザ、外部共振器型レーザなどの波長可変光源が搭載されている。パワーモニタ回路９９には、上り信号のパワーをモニタするためにエタロンフィルタなどの狭線幅波長合分波器と、ＯＮＵ９３と同数の光受信器とが搭載されている。
【０００７】
光パワースプリッタ９６は、各ＯＮＵ９３から送信された、異なる上り波長の光信号を波長多重する。パワーモニタ用光分岐器９５は、波長多重された上り信号の全波長の一部のパワーを分岐し、パワーモニタ回路９９に送信する。パワーモニタ回路９９が備える狭線幅波長合分波器は、透過線幅が細いため、波長がずれると急激に透過後のパワーが減少する。その減少量を、パワーモニタ回路９９内の対応する波長の光受信器で検出し、ＯＬＴ９２へ通知する。ＯＬＴ９２の監視制御部は、波長がずれたＯＮＵ９３へ長波長側もしくは短波長側へ上り波長を変更するよう指示を出す。ＯＮＵ９３の監視制御部は、指示に従って送信器内の波長可変光源を制御し、上り波長を変更する。パワーモニタ回路９９は、その時のパワーを検出し、ＯＬＴ９２は、パワーが最大になるようにＯＮＵ９３へ指示を出し続ける。
【先行技術文献】
【非特許文献】
【０００８】
【非特許文献１】S. Pachnicke，外11名，“First Demonstration of a Full C-Band Tunable WDM-PON System with Novel High-Temperature DS-DBR Lasers”，in proc. of OFC2014，paper W3G.2，2014年3月
【発明の概要】
【発明が解決しようとする課題】
【０００９】
しかし、従来技術では、高価な狭線幅波長合分波器とＯＮＵと同数のパワーモニタ用の光受信器からなるパワーモニタ回路が必要となり、構成が複雑となる。また、波長のずれをパワーに変換してモニタしているため、波長可変光源の送信パワー自体が減少する場合には、波長ずれと誤認識して、警報もあがらず、波長校正のアルゴリズムが動作し続け、故障検知に時間がかかることがあった。
【００１０】
上記事情に鑑み、本発明は、波長多重される光信号を送信する装置における光送信器の波長ずれを簡易な構成により校正することができる光通信装置、波長校正方法及びプログラムを提供することを目的としている。
【課題を解決するための手段】
【００１１】
本発明の一態様は、自光通信装置宛ての波長多重信号を波長分波器が波長分波して得られた異なる波長の光信号それぞれを受信する１台以上の光受信器と、前記光受信器により受信した光信号のパワーである受光パワーと受光パワーの基準値との差分が閾値以内となるように、前記光信号の送信元の他の光通信装置である送信元装置に光送信器が光信号の送信に用いる波長を遷移させるよう指示する波長調整指示を送信する監視制御部と、備える光通信装置である。
【００１２】
本発明の一態様は、上述の光通信装置であって、前記監視制御部は、前記送信元装置から前記光送信器における光送信パワーの通知を受け、通知された前記光送信パワーと前記光送信器における光送信パワーの初期値との比較に基づいて前記光送信器の異常を検出する。
【００１３】
本発明の一態様は、上述の光通信装置であって、前記監視制御部は、前記光受信器により受信した光信号の受光パワーと前記基準値との差分が前記閾値以上であると判断した場合に、前記送信元装置に前記光送信器における光送信パワーを通知するよう指示し、当該指示に応じて前記送信元装置から通知された前記光送信パワーが前記初期値から所定以上減少したときには前記光送信器の異常と判断し、前記初期値からの減少が前記所定以内であるときには前記光送信器における波長ずれの発生と判断する。
【００１４】
本発明の一態様は、上述の光通信装置であって、前記波長分波器は、透過特性がガウシアン型のフィルタであり、前記監視制御部は、前記光受信器により受信した光信号の受光パワーと前記基準値との差分が前記閾値以上であると判断した場合に、前記送信元装置に前記波長調整指示を送信し、前記波長調整指示の送信前後の受光パワーの比較により判断した波長ずれの方向に基づいて波長を遷移させるよう指示する波長調整指示を前記送信元装置に送信する。
【００１５】
本発明の一態様は、上述の光通信装置であって、前記波長分波器は、透過特性がガウシアン型のフィルタであり、前記監視制御部は、前記光受信器により受信した光信号の受光パワーと前記基準値との差分が前記閾値以上であると判断した場合に、前記送信元装置に波長を一定量遷移させるよう指示する前記波長調整指示を送信し、前記波長調整指示の送信を所定回数繰り返しても前記差分が前記閾値以内にならない場合に、前記送信元装置に前記光送信器における光送信パワーを通知するよう指示し、当該指示に応じて前記送信元装置から通知された光送信パワーと前記初期値との比較に基づいて、前記光送信器の異常又は他の故障の発生を判断する。
【００１６】
本発明の一態様は、上述の光通信装置であって、前記波長分波器は、透過特性がフラットトップ型のフィルタであり、前記監視制御部は、前記送信元装置に前記光送信器が光信号の送信に用いる波長を所定の範囲内で長波長側及び短波長側へ遷移させるよう指示する波長調整指示を繰り返し送信し、前記波長調整指示の送信後に前記光受信器により受信した光信号の受光パワーと前記基準値との差分が前記閾値以上である場合に前記光送信器において波長ずれが発生したと判断する。
【００１７】
本発明の一態様は、光通信装置が実行する波長校正方法であって、自光通信装置宛ての波長多重信号を波長分波器が波長分波して得られた異なる波長の光信号それぞれを１台以上の光受信器により受信する受信ステップと、前記光受信器により受信した光信号のパワーである受光パワーと受光パワーの基準値との差分が閾値以内となるように、前記光信号の送信元の他の光通信装置である送信元装置に光送信器が光信号の送信に用いる波長を遷移させるよう指示する波長調整指示を送信する監視制御ステップと、を有する。
【００１８】
本発明の一態様は、自光通信装置宛ての波長多重信号を波長分波器が波長分波して得られた異なる波長の光信号それぞれを受信する１台以上の光受信器を有する光通信装置に用いられるコンピュータに、前記光受信器により受信した光信号のパワーである受光パワーと受光パワーの基準値との差分が閾値以内となるように、前記光信号の送信元の他の光通信装置である送信元装置に光送信器が光信号の送信に用いる波長を遷移させるよう指示する波長調整指示を送信する監視制御ステップ、を実行させるプログラムである。
【発明の効果】
【００１９】
本発明により、波長多重される光信号を送信する装置における光送信器の波長ずれを簡易な構成により校正することができる。
【図面の簡単な説明】
【００２０】
【図１】本発明の第一の実施形態による光アクセスシステムの構成図である。
【図２】同実施形態によるＡＷＧフィルタの透過特性を示す図である。
【図３】同実施形態による光アクセスシステムの波長校正処理を示すフロー図である。
【図４】同実施形態による光アクセスシステムの波長校正処理を示すフロー図である。
【図５】同実施形態による光アクセスシステムの波長校正処理を示すフロー図である。
【図６】同実施形態による光アクセスシステムの初期設定モードにおける波長校正処理を示すフロー図である。
【図７】同実施形態による光アクセスシステムの初期設定モードにおける波長校正処理を示すフロー図である。
【図８】第二の実施形態による光アクセスシステムの構成図である。
【図９】同実施形態による誘電体多層膜フィルタの透過特性を示す図である。
【図１０】同実施形態による光アクセスシステムの波長校正処理を示すフロー図である。
【図１１】従来の光通信システムを示す図である。
【発明を実施するための形態】
【００２１】
以下、図面を参照しながら本発明の実施形態を詳細に説明する。
【００２２】
（第一の実施形態）
図１は、本発明の第一の実施形態による光アクセスシステム１の構成図である。光アクセスシステム１は、例えば、ＷＤＭ−ＰＯＮシステムなどの波長多重型ＰＯＮシステムである。光アクセスシステム１は、１台のＯＬＴ２と、Ｎ（Ｎは１以上の整数）台のＯＮＵ３と、ＡＷＧ（Arrayed waveguide grating：アレイ導波路グレーティング）フィルタ４と、光パワースプリッタ５とを有している。ＯＬＴ２及びＯＮＵ３は、光通信装置の一例である。ＡＷＧフィルタ４と、光パワースプリッタ５とは光ファイバ６により接続される。光パワースプリッタ５と各ＯＮＵ３とは、それぞれ光ファイバ７により接続される。例えば、光アクセスシステム１は、各ＯＮＵ３の下位に接続される装置と、ＯＬＴ２の上位に接続される装置との間の通信を中継する。ＯＮＵ３からＯＬＴ２への方向を上り、ＯＬＴ２からＯＮＵ３への方向を下りと記載する。
【００２３】
ＯＬＴ２は、１台以上の光送信器（Ｔｘ）２１と、１台以上の光受信器（Ｒｘ）２２と、監視制御部２３と、制御信号重畳部２４と、制御信号抽出部２５とを備える。ＯＬＴ２は、少なくとも、ＯＬＴ２と同時に通信するＯＮＵ３の台数と同じ数の光送信器２１及び光受信器２２の組を備える。光送信器２１及び光受信器２２の組はそれぞれ、異なるＯＮＵ３と異なる下り波長及び上り波長を用いて通信する。すなわち、複数の光送信器２１はそれぞれ異なる波長の下り信号を送信し、複数の光受信器２２はそれぞれ異なる波長の上り信号を受信する。光送信器２１は、ＯＮＵ３宛ての下り信号を電気信号から光信号に変換し、ＡＷＧフィルタ４に出力する。光受信器２２は、ＯＮＵ３から送信された上り信号をＡＷＧフィルタ４から受信し、光信号から電気信号に変換して出力する。監視制御部２３は、光受信器２２が受信した上りの光信号のパワー（以下、「受光パワー」と記載）を監視し、受光パワーの低減を検出した場合は、ＯＮＵ３へ上り信号の波長の調整を指示する。制御信号重畳部２４は、監視制御部２３の制御に従って、光送信器２１に入力される電気の下り信号に、ＯＮＵ３宛ての制監視御信号を重畳する。制御信号抽出部２５は、光受信器２２が光信号から電気信号に変換した上り信号から監視制御信号を抜き出して監視制御部２３に出力する。
【００２４】
ＯＮＵ３は、光受信器（Ｒｘ）３１と、光送信器（Ｔｘ）３２と、監視制御部３３と、制御信号抽出部３４と、制御信号重畳部３５とを備える。光受信器３１は、ＯＬＴ２から送信された下りの光信号を受信し、電気信号に変換して出力する。光送信器３２は、ＯＬＴ２宛ての上り信号を電気信号から光信号に変換して送信する。光送信器３２は、温度調節型半導体レーザや電流調整型半導体レーザ、外部共振器型レーザなどの波長可変光源を搭載している。監視制御部３３は、ＯＬＴ２からの指示に従って、光送信器３２が送信する光信号の波長を制御する。また、監視制御部３３は、光送信器３２が送信する光信号のパワーである光送信パワーをＯＬＴ２に通知する。制御信号抽出部３４は、光受信器３１が光信号から電気信号に変換した下り信号から監視制御信号を抜き出して監視制御部３３に出力する。制御信号重畳部３５は、監視制御部３３の制御に従って、光送信器３２に入力される電気の上り信号に監視制御信号を重畳する。
【００２５】
ＡＷＧフィルタ４は、合分波器として用いられる。ＡＷＧフィルタ４は、ＯＬＴ２の複数の光送信器２１が出力した異なる波長の下りの光信号を合波して光ファイバ６に入力する。光パワースプリッタ５は、光ファイバ６を伝送した下りの光信号を分岐して各ＯＮＵ３に送信する。また、光パワースプリッタ５は、光ファイバ７を介して受信した上りの光信号を多重して光ファイバ６に送信する。ＡＷＧフィルタ４は、光ファイバ６を伝送した上りの光信号を分波して、ＯＬＴ２の各光受信器２２へ入力する。なお、ＯＬＴ２内にＡＷＧフィルタ４を設けてもよい。
【００２６】
図２は、ＡＷＧフィルタ４の透過特性を示す図である。同図は、ＡＷＧフィルタ４を透過した後のＯＬＴ２の光受信器２２における受光パワーを示す。ＡＷＧフィルタ４は、透過させる波長がそれぞれ異なる複数の出射導波路を有しており、同図は１つの出射導波路からの出力を示している。同図に示すガウシアン型透過特性の中心波長（最も減衰量が少ない波長）を波長λ１とする。同図から、ＯＮＵ３が送信した光信号の波長が波長λ１からλ1’にずれた場合、ＡＷＧフィルタ４が透過させる光パワーが減少することがわかる。そこで、ＯＬＴ２は、上り信号の光パワーの減少を検出した場合に、上り波長をλ１に近づけるため、ＯＮＵ３に対して光送信器３２が送信する光信号の波長を短波長側（−）又は長波長側（＋）へずらして（遷移させて）調整するよう指示する。
【００２７】
続いて、光アクセスシステム１の動作を説明する。
ＯＬＴ２とＯＮＵ３は、監視制御信号を送受信する。監視制御信号を送受信するための監視制御チャネルの確立方法としては、例えば、Ethernet（登録商標）等を利用して主信号の制御フレームをカプセリングする、あるいは予備領域を使用するといったIn-band方式がある。これに加えて、ＩＴＵ−Ｔ  Ｇ．９８９シリーズでＡＭＣＣ（Auxiliary management and control channel）として規定されている様に、主信号に対して物理的に別な監視制御チャネルを立てるOut-of-band方式による通信であっても良い。このように、ＯＬＴ２とＯＮＵ３は、監視制御信号を主信号に重畳して送受信することが可能である。
【００２８】
新規のＯＮＵ３が光アクセスシステム１（ＰＯＮシステム）に接続された時、ＯＬＴ２とＯＮＵ３との間では、波長割当やＯＮＵ登録等の初期接続動作を行う。この時、ＯＬＴ２が備える光受信器２２に内蔵されたモニタ用ＰＤ（Photo diode）は、ＡＷＧフィルタ４を透過した後の受光パワーを測定する。また、ＯＬＴ２の監視制御部２３は、監視制御チャネルを介して、光送信パワーを報告するようＯＮＵ３に指示を出す。ＯＮＵ３の監視制御部３３はこの指示を受け、光送信器３２に内蔵された光送信パワーモニタ機能を用いて光送信パワーを測定し、ＯＬＴ２に監視制御チャネルを介して報告する。ＯＬＴ２の監視制御部２３は、これら２つの光パワーを初期値として、監視制御部２３の内部又は外部に備える記憶部（図示せず）に保存する。受光パワーの初期値は、受光パワーの低減の検出に用いられる受光パワーの基準値となり、光送信パワーの初期値は、光送信パワーの異常検出に用いられる光送信パワーの基準値となる。
【００２９】
図３は、光アクセスシステム１の波長校正処理を示すフロー図である。光アクセスシステム１は、各ＯＮＵ３それぞれについて、上記の初期接続を終えた後に通常モードとなり、同図に示す波長校正フローによる波長校正を実施する。
【００３０】
通常モード時において、ＯＬＴ２の監視制御部２３は、光受信器２２に内蔵されたモニタ用ＰＤを用い、通信事業者が事前に定めた頻度で上り光信号の受光パワーＰｒｅｃの測定を行う（ステップＳ１１１）。測定対象の上り光信号は、主信号である。監視制御部２３は、測定した受光パワーＰｒｅｃの初期値からの変化量ΔＰｒｅｃが閾値ΔＰｔｈ未満であるか否かを判定する（ステップＳ１１２）。監視制御部２３は、閾値未満であると判断した場合（ステップＳ１１２：ＹＥＳ）、通常モードを維持し続け、ステップＳ１１１からの処理を繰り返す。監視制御部２３は、変化量ΔＰｒｅｃが閾値ΔＰｔｈ以上であると判断した場合（ステップＳ１１２：ＮＯ）、光送信パワー減衰検知モードへ移行する。
【００３１】
なお、受光パワーの基準値として、上述した受光パワーの初期値に代えて、運用者が指定するタイミングあるいは一定の周期で更新する基準値を用いてもよい。あるいは、閾値ΔＰｔｈを、運用者が指定するタイミングあるいは一定の周期で更新してもよい。例えば、長期間における光出力パワーの僅かな減衰を、システムのマージンとして見込む場合などへの適用に該当する。
【００３２】
光送信パワー減衰検知モードにおいて、ＯＬＴ２の監視制御部２３は、ＯＮＵ３に光送信パワーを報告するよう監視制御信号を用いて指示する。ＯＮＵ３の監視制御部３３は、指示を受けた時点での光送信器３２における光送信パワーＰｏｕｔを測定し、監視制御信号を用いてＯＬＴ２に報告する（ステップＳ１２１）。ＯＬＴ２の監視制御部２３は報告を受け、報告された光送信パワーＰｏｕｔが初期値から所定値以上減少したか否かを確認する（ステップＳ１２２）。所定値は、光送信パワーＰｏｕｔが初期値からほぼ変化していないと判断可能な０以上の値である。監視制御部２３は、減少を確認した場合（ステップＳ１２２：ＹＥＳ）、送信パワー異常の警報を発出し、運用者に通報する（ステップＳ１２３）。この時の要因としては、経年劣化や物理的損傷よる、ＬＤ（Laser diode）やＴＥＣ（Thermoelectric Cooler）の部材の故障、各部材へのバイアス電流値の異常が考えられる。光送信パワーの減少が確認されない場合は、受光パワーのみが減少したことになり、波長ずれが生じたと検知することが可能となる。そこで、監視制御部２３は、光送信パワーＰｏｕｔが初期値から所定値以上減少していないと判断した場合（ステップＳ１２２：ＮＯ）、波長校正モードへ移行する。図２には、上り波長がλ1’にずれ、波長構成モードが開始される時の変化量ΔＰｒｅｃ及び閾値ΔＰｔｈの関係を示している。
【００３３】
波長校正モードにおいて、ＯＬＴ２の監視制御部２３は、ＯＮＵ３に対して監視制御信号を用いて波長調整指示を送信する（ステップＳ１３１）。ステップＳ１３１における指示の内容としては、例えば、「短波長側に５ＧＨｚだけずらす」といったものが挙げられる。ずらす波長幅は、フィルタの特性や波長可変光トランシーバの波長遷移精度によって事前に決められた値である。ＯＮＵ３の監視制御部３３は、波長調整指示に基づき、光送信器３２に設定している波長を短波長側へ変化させる。なお、波長のずらしはじめを、長波長側としてもよい。また、ずらす量は一定量でも良いし、ランダムあるいは周期的に変動させてもよい。その後、ＯＬＴ２の監視制御部２３は、波長遷移にかかる時間待機した後に、あるいはＯＮＵ３から波長遷移完了の報告を受け取った後に、再度受光パワーＰｒｅｃを測定する（ステップＳ１３２）。
【００３４】
監視制御部２３は、ステップＳ１３２において測定された受光パワーＰｒｅｃが前回の測定から増加したか否かを判断する（ステップＳ１３３）。受光パワーＰｒｅｃが増加した場合（ステップＳ１３３：ＹＥＳ）、監視制御部２３は、ＡＷＧフィルタ４が有するガウシアン型透過特性の中心波長へ近づく方向に波長を動かすことができたと判断することができる。その後、監視制御部２３は、ステップＳ１３２において測定した受光パワーＰｒｅｃの初期値からの変化量ΔＰｒｅｃが閾値ΔＰｔｈ未満であるか否かを判定する（ステップＳ１３４）。監視制御部２３は、変化量ΔＰｒｅｃが閾値ΔＰｔｈ未満であると判断した場合（ステップＳ１３４：ＹＥＳ）、波長校正モードを終了し、通常モードへと移行する（ステップＳ１３５）。監視制御部２３は、変化量ΔＰｒｅｃが閾値ΔＰｔｈ以上である判断した場合（ステップＳ１３４：ＮＯ）、再度ステップＳ１３１からの処理を繰り返して、ＯＮＵ３に「短波長側に５ＧＨｚだけずらす」との指示を出す。光アクセスシステム１は、変化量ΔＰｒｅｃが閾値ΔＰｔｈ未満となるまで同じ処理を繰り返す。
【００３５】
一方、受光パワーＰｒｅｃが前回の測定から減少した場合（ステップＳ１３３：ＮＯ）、ＯＬＴ２の監視制御部２３は、ＡＷＧフィルタ４が有するガウシアン型透過特性の中心波長から遠ざかる方向に波長を動かしたと判断することができる。この場合、監視制御部２３は、波長をステップＳ１３１の指示とは反対側に動かす、例えば、「長波長側に５ＧＨｚだけずらす」ようにＯＮＵ３に指示する（ステップＳ１３６）。ＯＮＵ３の監視制御部３３は、波長調整指示に基づき、光送信器３２に設定している波長を長波長側へ変化させる。監視制御部２３は、波長遷移にかかる時間待機した後に、あるいはＯＮＵ３から波長遷移完了の報告を受け取った後に、再度受光パワーＰｒｅｃを測定する（ステップＳ１３７）。
【００３６】
監視制御部２３は、ステップＳ１３７において測定された受光パワーＰｒｅｃが前回の測定から増加したか否かを判断する（ステップＳ１３８）。監視制御部２３は、受光パワーＰｒｅｃが減少したと判断した場合（ステップＳ１３８：ＮＯ）、ステップＳ１３１の処理を行う。監視制御部２３は、受光パワーＰｒｅｃが増加したと判断した場合（ステップＳ１３８：ＹＥＳ）、ステップＳ１３７において測定された受光パワーＰｒｅｃの初期値からの変化量ΔＰｒｅｃが閾値ΔＰｔｈ未満であるか否かを判定する（ステップＳ１３９）。監視制御部２３は、変化量ΔＰｒｅｃが閾値ΔＰｔｈ未満であると判断した場合（ステップＳ１３９：ＹＥＳ）、波長校正モードを終了し、通常モードへと移行する（ステップＳ１４０）。監視制御部２３は、変化量ΔＰｒｅｃが閾値ΔＰｔｈ以上である判断した場合（ステップＳ１３９：ＮＯ）、再度ステップＳ１３６からの処理を繰り返して、ＯＮＵ３に再度「長波長側に５ＧＨｚだけずらす」との指示を出す。光アクセスシステム１は、変化量ΔＰｒｅｃが閾値ΔＰｔｈ未満となるまで同じ処理を繰り返す。
【００３７】
本実施形態の適用により、ＯＬＴ２、ＯＮＵ３の光トランシーバが標準的に備えているモニタ機能及び波長合分波フィルタのみという簡易な構成によって、ＯＮＵ３における上り波長のずれの修正が可能となる。加えて、波長可変光源の波長ずれと光送信パワーの減少の切り分けができ、故障対応が迅速となるという効果がある。
【００３８】
本実施形態は、図３の処理に代えて、図４又は図５に示すように、ＯＮＵ３の光送信パワー測定の箇所を変更した処理とすることも可能である。
【００３９】
図４は、光アクセスシステム１の他の波長校正処理を示すフロー図である。同図において、図３と同一の処理には同一の符号を付し、その説明を省略する。同図に示す波長校正処理では、通常モードの繰り返しの中でＯＮＵ３の光送信パワーを測定する。通常モードの繰り返しは、光送信パワー測定から開始しても良く、受光パワー測定から開始しても良い。
【００４０】
通常モード時において、ＯＮＵ３の監視制御部３３は、通信事業者が事前に定めた頻度で、光送信器３２における光送信パワーＰｏｕｔを測定し、監視制御信号を用いてＯＬＴ２に報告する（ステップＳ２１１）。ＯＬＴ２の監視制御部２３は報告を受け、通知された光送信パワーＰｏｕｔの初期値からの減少有無を確認する（ステップＳ２１２）。監視制御部２３は、光送信パワーＰｏｕｔが初期値から減少したと判断した場合（ステップＳ２１２：ＹＥＳ）、送信パワー異常の警報を発出し、運用者に通報する（ステップＳ２１３）。
【００４１】
監視制御部２３は、光送信パワーＰｏｕｔが初期値から減少していないと判断した場合（ステップＳ２１２：ＮＯ）、光受信器２２に内蔵されたモニタ用ＰＤを用い、上り信号の受光パワーＰｒｅｃの測定を行う（ステップＳ２１４）。監視制御部２３は、測定した受光パワーＰｒｅｃの初期値からの変化量ΔＰｒｅｃが閾値ΔＰｔｈ未満であるかを判定する（ステップＳ２１５）。監視制御部２３は、変化量ΔＰｒｅｃが閾値ΔＰｔｈ未満であると判断した場合（ステップＳ２１５：ＹＥＳ）、通常モードを維持し続ける。ＯＮＵ３は、次の測定タイミングにおいてステップＳ２１１からの処理を繰り返す。
【００４２】
一方、ＯＬＴ２の監視制御部２３は、変化量ΔＰｒｅｃが閾値ΔＰｔｈ以上であると判断した場合（ステップＳ２１５：ＮＯ）、波長校正モードに移行する。波長校正モードにおいて、光アクセスシステム１は、図３のステップＳ１３１からステップＳ１４０の処理と同様の処理を実行する。
【００４３】
図５は、光アクセスシステム１のさらに他の波長校正処理を示すフロー図である。同図において、図３と同一の処理には同一の符号を付し、その説明を省略する。同図に示す波長校正処理では、通常モードにおいて受光パワーの変化量が閾値を上回った際、即座に波長校正モードへと移行する。この時、ＯＬＴ２は、波長調整指示の回数ｎを計数する。指定回数を上回っても変化量が閾値を下回らない場合、ＯＬＴ２は、光送信パワー減衰検知モードへと移行する。その後、ＯＬＴ２はＯＮＵ３に光送信パワーを測定させ、初期値と比較することで減衰していないかを確認する。減衰していた場合は、ＯＬＴ２は送信パワー異常の警報を発出する。減衰していない場合は、ＯＬＴ２はその他警報を発出する。その他の警報を上げるための要因としては、ＯＬＴ２−ＯＮＵ３間の線路故障による接続損失増加、ＯＬＴ２の受信器故障による測定受光パワーの誤差に起因する受光パワーの減少、光変調器の故障や過剰バイアス電流による光送信パワーの過度な上昇が考えられる。
【００４４】
通常モードにおいて、光アクセスシステム１は、図３に示す通常モードと同様の処理を行う（ステップＳ１１１〜ステップＳ１１２）。ただし、ＯＬＴ２の監視制御部２３は、変化量ΔＰｒｅｃが閾値ΔＰｔｈ以上であると判断した場合（ステップＳ１１２：ＮＯ）、波長校正モードへ移行する。
【００４５】
波長校正モードにおいて、ＯＬＴ２の監視制御部２３は、波長調整指示の回数ｎに初期値１を設定する（ステップＳ３１１）。監視制御部２３は、回数ｎの値が予め設定された閾値Ｎ未満であるか否かを判断する（ステップＳ３１２）。監視制御部２３は、回数ｎが閾値Ｎ未満であると判断した場合、ＯＮＵ３に対して監視制御信号を用いて、短波長側へ波長をずらす波長調整指示を送信し（ステップＳ１３１）、回数ｎの値に１を加算する（ステップＳ３１３）。ＯＮＵ３の監視制御部３３は、波長調整指示に基づき、光送信器３２に設定している波長を短波長側へずらす。
【００４６】
ＯＬＴ２の監視制御部２３は、受光パワーＰｒｅｃを測定する（ステップＳ１３２）。監視制御部２３は、測定された受光パワーＰｒｅｃが前回の測定から増加したと判断した場合（ステップＳ１３３：ＹＥＳ）、受光パワーＰｒｅｃの初期値からの変化量ΔＰｒｅｃが閾値ΔＰｔｈ未満であるか否かを判定する（ステップＳ１３４）。監視制御部２３は、変化量ΔＰｒｅｃが閾値ΔＰｔｈ未満であると判断した場合（ステップＳ１３４：ＹＥＳ）、波長校正モードを終了し、通常モードへと移行する（ステップＳ１３５）。監視制御部２３は、変化量ΔＰｒｅｃが閾値ΔＰｔｈ以上である判断した場合（ステップＳ１３４：ＮＯ）、再度ステップＳ３１２からの処理を繰り返す。
【００４７】
一方、監視制御部２３は、受光パワーＰｒｅｃが前回の測定から減少したと判断した場合（ステップＳ１３３：ＮＯ）、回数ｎの値が予め設定された閾値Ｎ未満であるか否かを判断する（ステップＳ３１４）。監視制御部２３は、回数ｎが閾値Ｎ未満であると判断した場合、ＯＮＵ３に対して監視制御信号を用いて、長波長側へ波長をずらす波長調整指示を送信し（ステップＳ１３６）、回数ｎの値に１を加算する（ステップＳ３１５）。ＯＮＵ３の監視制御部３３は、波長調整指示に基づき、光送信器３２に設定している波長を長波長側へずらす。
【００４８】
ＯＬＴ２の監視制御部２３は、受光パワーＰｒｅｃを測定する（ステップＳ１３７）。監視制御部２３は、測定された受光パワーＰｒｅｃが前回の測定から増加していないと判断した場合（ステップＳ１３８：ＮＯ）、ステップＳ３１２からの処理を行う。監視制御部２３は、受光パワーＰｒｅｃが増加したと判断した場合（ステップＳ１３８：ＹＥＳ）、受光パワーＰｒｅｃの初期値からの変化量ΔＰｒｅｃが閾値ΔＰｔｈ未満であるか否かを判定する（ステップＳ１３９）。監視制御部２３は、変化量ΔＰｒｅｃが閾値ΔＰｔｈ未満であると判断した場合（ステップＳ１３９：ＹＥＳ）、波長校正モードを終了し、通常モードへと移行する（ステップＳ１４０）。監視制御部２３は、変化量ΔＰｒｅｃが閾値ΔＰｔｈ以上である判断した場合（ステップＳ１３９：ＮＯ）、再度ステップＳ３１４からの処理を繰り返す。
【００４９】
監視制御部２３は、回数ｎが閾値Ｎ以上であると判断した場合（ステップＳ３１２：ＮＯ、ステップＳ３１４：ＮＯ）、光送信パワー減衰検知モードへ移行する。光送信パワー減衰検知モードにおいて、監視制御部２３は、ＯＮＵ３に対して光送信パワーを報告するよう監視制御信号を用いて指示する。ＯＮＵ３の監視制御部３３は、指示を受けた時点での光送信器３２における光送信パワーＰｏｕｔを測定し、監視制御信号を用いてＯＬＴ２に報告する（ステップＳ１２１）。ＯＬＴ２の監視制御部２３は、報告された光送信パワーＰｏｕｔが初期値から所定値以上減少したと判断した場合（ステップＳ１２２：ＹＥＳ）、送信パワー異常の警報を発出し、運用者に通報する（ステップＳ１２３）。一方、ＯＬＴ２の監視制御部２３は、報告された光送信パワーＰｏｕｔが初期値から所定値以上減少していないと判断した場合（ステップＳ１２２：ＮＯ）、その他警報を発出する（ステップＳ３２１）。
【００５０】
上述した図３〜図５に示す波長校正処理においては、初期接続時にＯＮＵ３に波長ずれがない場合を想定している。しかし、初期接続時に、ある程度の波長ずれが生じることがある。初期接続時に波長ずれが生じると、特に、ガウシアン型の特性を有するフィルタでは、受光パワーの基準値が低くなる可能性がある。そこで、本実施形態の光アクセスシステム１は、初期接続時に波長ずれが生じる可能性がある場合に、初期接続モードの波長校正処理を行い、校正された状態の受光パワーの初期値及び光送信パワーの初期値をＯＬＴ２に登録する。
【００５１】
図６は、光アクセスシステム１の初期設定モードにおける波長校正処理を示すフロー図である。同図に示す波長校正処理では、まず、新規のＯＮＵ３が光アクセスシステム１（ＰＯＮシステム）に接続された時、ＯＬＴ２とＯＮＵ３との間で、波長割当やＯＮＵ登録等の初期接続動作（アクティベーション）を行う（ステップＳ５０１）。ＯＬＴ２の監視制御部２３は、波長調整指示の回数ｉに初期値０を設定する（ステップＳ５０２）。その後、監視制御部２３は、ＯＬＴ２が備える光受信器２２に内蔵されたモニタ用ＰＤを用いて、ＡＷＧフィルタ４を透過した後の受光パワーＰｒｅｃ，ｉを測定し、記憶部（図示せず）に記録する（ステップＳ５０３）。
【００５２】
続いて、監視制御部２３は、回数ｉの値に１を加算し（ステップＳ５０４）、ＯＮＵ３に短波長側への波長調整指示を送信する（ステップＳ５０５）。ＯＮＵ３の監視制御部３３は、波長調整指示に基づき、光送信器３２に設定している波長を短波長側へ変化させる。その後、ＯＬＴ２の監視制御部２３は、波長遷移にかかる時間待機した後に、あるいはＯＮＵ３から波長遷移完了の報告を受け取った後に、受光パワーＰｒｅｃ，ｉを測定する（ステップＳ５０６）。
【００５３】
監視制御部２３は、前回（ｉ−１）回目に測定された受光パワーＰｒｅｃ，ｉ−１を記憶部から読み出し、ステップＳ５０６において今回ｉ回目に測定された受光パワーＰｒｅｃ，ｉが前回測定された受光パワーＰｒｅｃ，ｉ−１から増加したか否かを判断する（ステップＳ５０７）。受光パワーＰｒｅｃ，ｉが前回の測定よりも増加した場合（ステップＳ５０７：ＹＥＳ）、監視制御部２３は、中心波長に近づく方へと波長を校正していると判断する。
【００５４】
続いて、監視制御部２３は、ステップＳ５０６において今回測定された受光パワーＰｒｅｃ，ｉと前回測定された受光パワーＰｒｅｃ、ｉ−１との差分を算出する。監視制御部２３は、算出した差分Ｐｒｅｃ，ｉ−Ｐｒｅｃ，ｉ−１が、事前に定められた閾値ΔＰｔｈ＿ｉｎｉｔを下回るか否かを判断する（ステップＳ５０８）。閾値ΔＰｔｈ＿ｉｎｉｔはＡＷＧフィルタ４の特性から決定される。例えば、１００ＧＨｚ間隔のＡＷＧフィルタを用いた場合、中心波長から±５ＧＨｚずれた波長では中心波長と比較して、０．１ｄＢの透過損失量差があると仮定する。この時、−３ＧＨｚ単位で波長調整指示を出したとすると、中心波長から＋５ＧＨｚ以内に入った時の受光パワーの変化量Ｐｒｅｃ，ｉ−Ｐｒｅｃ，ｉ−１は、０．１ｄＢを下回る。そこで、閾値ΔＰｔｈ＿ｉｎｉｔを０．１ｄＢと定めることにより、差分が閾値ΔＰｔｈ＿ｉｎｉｔを下回っているか否かに基づいて、ＯＮＵ３からの上り信号光の波長が中心波長付近であるか否かを判断することができる。
【００５５】
監視制御部２３は、差分が閾値以上である判断した場合（ステップＳ５０８：ＮＯ）、受光パワーＰｒｅｃ、ｉを記憶部に記憶し、再度ステップＳ５０４からの処理を繰り返す。一方、監視制御部２３は、差分が閾値未満であり（ステップＳ５０８：ＹＥＳ）、受光パワーＰｒｅｃ，ｉが中心波長付近にいると判断すると、その時の受光パワーを測定し、さらに、ＯＮＵ３に光送信パワーを報告するよう監視制御信号を用いて指示する。監視制御部２３は、測定した受光パワーと、指示に応じてＯＮＵ３が測定し、監視制御信号によりＯＬＴ２に通知した光送信パワーとを初期値として記憶部に登録し（ステップＳ５０９）、通常モードへと移行する（ステップＳ５１０）。
【００５６】
一方、監視制御部２３は、ステップＳ５０６において今回測定された受光パワーＰｒｅｃ，ｉが前回測定された受光パワーＰｒｅｃ，ｉ−１から増加していなかった場合（ステップＳ５０７：ＮＯ）、中心波長から遠ざかる方向へ波長を校正していると判断する。監視制御部２３は、測定された受光パワーＰｒｅｃ、ｉを記憶部に記憶すると、回数ｉの値に１を加算する（ステップＳ５１１）。監視制御部２３は、ステップＳ５０５とは符号を反対にした波長調整指示をＯＮＵ３に送信する（ステップＳ５１２）。例えば、監視制御部２３は、ステップＳ５０５において「−３ＧＨｚだけずらす」よう指示した場合、「＋３ＧＨｚだけずらす」よう指示する。ＯＮＵ３の監視制御部３３は、受信した波長調整指示に基づき、光送信器３２に設定している波長を長波長側へ変化させる。その後、ＯＬＴ２の監視制御部２３は、受光パワーＰｒｅｃ，ｉを測定する（ステップＳ５１３）。
【００５７】
監視制御部２３は、前回（ｉ−１）回目に測定された受光パワーＰｒｅｃ，ｉ−１を記憶部から読み出し、ステップＳ５１３において今回ｉ回目に測定された受光パワーＰｒｅｃ，ｉが前回測定された受光パワーＰｒｅｃ，ｉ−１から増加したか否かを判断する（ステップＳ５１４）。受光パワーＰｒｅｃ，ｉが前回の測定から増加していなかった場合（ステップＳ５１４：ＮＯ）、監視制御部２３は、中心波長から遠ざかる方向へ波長を校正していると判断し、受光パワーＰｒｅｃ、ｉを記憶部に記憶してステップＳ５０４からの処理を行う。一方、受光パワーＰｒｅｃ，ｉが前回の測定よりも増加した場合（ステップＳ５１４：ＹＥＳ）、監視制御部２３は、中心波長に近づく方へと波長を校正していると判断する。
【００５８】
続いて、監視制御部２３は、ステップＳ５１３において今回測定された受光パワーＰｒｅｃ，ｉと前回測定された受光パワーＰｒｅｃ、ｉ−１との差分が、閾値ΔＰｔｈ＿ｉｎｉｔを下回るか否かを判断する（ステップＳ５１５）。監視制御部２３は、差分が閾値以上である判断した場合（ステップＳ５１５：ＮＯ）、再度ステップＳ５１１からの処理を繰り返す。一方、監視制御部２３は、差分が閾値未満であり（ステップＳ５１５：ＹＥＳ）、受光パワーＰｒｅｃ，ｉが中心波長付近にいると判断すると、その時の受光パワーを測定し、さらに、ＯＮＵ３に光送信パワーを報告するよう監視制御信号を用いて指示する。監視制御部２３は、測定した受光パワーと、監視制御信号に応じてＯＮＵ３が測定し、ＯＬＴ２に通知した光送信パワーとを初期値として記憶部に登録し（ステップＳ５１６）、通常モードへと移行する（ステップＳ５１７）。
【００５９】
図７は、光アクセスシステム１の初期設定モードにおける他の波長校正処理を示すフロー図である。同図において、図６と同一の処理には同一の符号を付し、その説明を省略する。同図に示す波長校正処理と、図６に示す波長校正処理とは、ＯＬＴ２が（ｉ−１）回目に測定した受光パワーＰｒｅｃ、ｉ−１と、ｉ回目に測定した受光パワーＰｒｅｃ、ｉとを比較した後の動作に違いがある。
【００６０】
同図において、光アクセスシステム１は、図６に示すステップＳ５０１〜ステップＳ５０６と同様の処理を行う。なお、ＯＮＵ３の監視制御部３３は、ＯＬＴ２から波長調整指示を受信した回数ｉを計数し、ｉ回目の波長調整指示による調整後の上り波長を、監視制御部３３の内部又は外部に備える記憶部（図示せず）に記憶する。
【００６１】
ステップＳ５０６の処理の後、ＯＬＴ２の監視制御部２３は、前回（ｉ−１）回目に測定された受光パワーＰｒｅｃ，ｉ−１を記憶部から読み出し、ステップＳ５０６において今回ｉ回目に測定した受光パワーＰｒｅｃ，ｉが前回測定された受光パワーＰｒｅｃ，ｉ−１以上であるか否かを判断する（ステップＳ６０１）。受光パワーＰｒｅｃ，ｉが前回測定された受光パワーＰｒｅｃ，ｉ−１以上である場合（ステップＳ６０１：ＹＥＳ）、監視制御部２３は、中心波長に近づく方へと波長を校正していると判断し、測定された受光パワーＰｒｅｃ、ｉを記憶部に記憶する。監視制御部２３は、ステップＳ５０４からの処理を繰り返して、回数ｉの値に１加算し、ＯＮＵ３に短波長側への波長調整指示を送信する。
【００６２】
一方、監視制御部２３は、ステップＳ５０６において今回測定された受光パワーＰｒｅｃ，ｉが前回測定された受光パワーＰｒｅｃ，ｉ−１に満たないと判断した場合（ステップＳ６０１：ＮＯ）、回数ｉが１か否かを判断する（ステップＳ６０２）。監視制御部２３は、回数ｉが１より大きい場合（ステップＳ６０２：ＮＯ）、複数回の波長調整指示によって、中心波長を超えて過剰に波長を調整したと判断する。この時、監視制御部２３は、これまでの調整記録から、ＡＷＧフィルタ４の透過特性を把握する。つまり、監視制御部２３は、記憶部に記憶される受光パワーＰｒｅｃ、ｉが最も高くなった回数ｉのときの波長設定を適用するように、ＯＮＵ３に波長調整指示を送信する（ステップＳ６０３）。ＯＮＵ３は、受信した波長調整指示に従って光送信器３２の波長を設定する。
【００６３】
その後、監視制御部２３は、波長遷移にかかる時間待機した後に、あるいはＯＮＵ３から波長遷移完了の報告を受け取った後に、再度受光パワーＰｒｅｃを測定し、初期値として記憶部に保存する。あるいは監視制御部２３は、受光パワーＰｒｅｃ、ｉが最大となったときの記憶部の記録を参照して、初期値と定めても良い。また、ＯＬＴ２の監視制御部２３は、監視制御チャネルを介して、光送信パワーを報告するようＯＮＵ３に指示を出す。ＯＮＵ３の監視制御部３３はこの指示を受け、光送信器３２に内蔵された光送信パワーモニタ機能を用いて光送信パワーを測定し、ＯＬＴ２に監視制御チャネルを介して報告する。ＯＬＴ２の監視制御部２３は、報告された光送信パワーを初期値として記憶部に保存する（ステップＳ６０４）。監視制御部２３は、通常モードに遷移する（ステップＳ６０５）。
【００６４】
監視制御部２３は、受光パワーＰｒｅｃ、ｉが前回以上とならず、かつ、ｉ＝１のときには（ステップＳ６０２：ＹＥＳ）、中心波長から遠ざかる方向へと波長を校正していると判断する。監視制御部２３は、測定された受光パワーＰｒｅｃ、ｉを記憶部に記憶すると、図６のステップＳ５１１〜ステップＳ５１３と同様の処理を行い、ステップＳ５０５とは符号を反対にした波長調整指示をＯＮＵ３に送信する。ステップＳ５１３の処理の後、ＯＬＴ２の監視制御部２３は、ステップＳ５１３において今回ｉ回目に測定した受光パワーＰｒｅｃ，ｉが前回（ｉ−１）回目に測定された受光パワーＰｒｅｃ，ｉ−１以上であるか否かを判断する（ステップＳ６０６）。受光パワーＰｒｅｃ，ｉが前回測定された受光パワーＰｒｅｃ，ｉ−１以上である場合（ステップＳ６０６：ＹＥＳ）、監視制御部２３は、中心波長に近づく方へと波長を校正していると判断し、測定された受光パワーＰｒｅｃ、ｉを記憶部に記憶し、ステップＳ５１１からの処理を繰り返す。
【００６５】
一方、監視制御部２３は、今回ｉ回目に測定した受光パワーＰｒｅｃ，ｉが前回測定された受光パワーＰｒｅｃ，ｉ−１に満たないと判断した場合（ステップＳ６０６：ＮＯ）、複数回の波長調整指示によって、中心波長を超えて過剰に波長を調整したと判断する。監視制御部２３は、ステップＳ６０３、ステップＳ６０４と同様の処理を行う。（ステップＳ６０７、Ｓ６０８）。すなわち、監視制御部２３は、ＯＮＵ３に受光パワーＰｒｅｃ、ｉが最も高くなった回数ｉのときの波長設定を適用し、その時の受光パワー及び光送信パワーを初期として記憶部に登録する。監視制御部２３は、通常モードに遷移する（ステップＳ６０９）。
【００６６】
上記の初期接続フローの実施により、初期の送信波長がずれていた場合についても波長校正を実施することができる。
【００６７】
（第二の実施形態）
本実施形態では、波長合分波フィルタとして、第一の実施形態のＡＷＧフィルタに代えて、誘電体多層膜フィルタのようにフラットトップ型の透過特性をもつフィルタを用いる。
【００６８】
図８は、本発明の第二の実施形態による光アクセスシステム１ａの構成図である。同図において、図１に示す第一の実施形態による光アクセスシステム１と同一の部分には同一の符号を付し、その説明を省略する。本実施形態の光アクセスシステム１ａが、図１に示す光アクセスシステム１と異なる点は、ＯＬＴ２、ＡＷＧフィルタ４に代えて、ＯＬＴ２ａ、誘電体多層膜フィルタ４ａを備える点である。ＯＬＴ２ａが、第一の実施形態のＯＬＴ２と異なる点は、監視制御部２３に代えて監視制御部２３ａを備える点である。監視制御部２３ａは、通常モードにおいて波長を短波長側及び長波長側にずらし、波長ずれを検知する。なお、ＯＬＴ２ａ内に誘電体多層膜フィルタ４ａを設けてもよい。
【００６９】
図９は、誘電体多層膜フィルタ４ａの透過特性を示す図である。同図は、誘電体多層膜フィルタ４ａを透過した後のＯＬＴ２ａの光受信器２２における受光パワーを示す。フラットトップ型の透過特性は、透過帯域においては減衰量がほぼ一定であるが、透過帯域から外れたときの光減衰量の変化がガウシアン型フィルタに比べて急峻である。ＯＬＴ２ａは、ＯＮＵ３の上り波長が透過帯域を外れた場合、上り波長を短波長側（−）又は長波長側（＋）へずらすよう指示し、調整を行う。
【００７０】
ＯＬＴ２ａ及びＯＮＵ３は、第一の実施形態と同様に初期接続動作を行い、ＯＬＴ２ａの監視制御部２３ａは、光受信器２２における受光パワーの初期値及びＯＮＵ３の光送信器３２からの光送信パワーの初期値を取得し、監視制御部２３ａの内部又は外部に備える記憶部（図示せず）に保存する。その後、ＯＬＴ２ａは、通常モードの処理を行う。
【００７１】
図１０は、光アクセスシステム１ａの波長校正処理を示すフロー図である。光アクセスシステム１ａは、各ＯＮＵ３それぞれについて、上記の初期接続を終えた後に、図１０に示す波長校正フローによって波長校正を実施する。
【００７２】
通常モードにおいて、ＯＬＴ２ａは、所定の範囲内で少量の波長遷移、例えば、短波長と長波長側のそれぞれに５ＧＨｚ遷移するよう、監視制御信号を用いて定期的にＯＮＵ３に指示を与える。この時の波長遷移量として、フラットトップ特性の程度を定めた仕様書を参考として、例えば、フラットトップ特性の帯域幅１０分の１等に定める。ＯＮＵ３は指示に従って波長遷移を行う。その後、ＯＬＴ２ａは受光パワーの変化量を測定し、初期の受光パワーとの比較を行う。波長ずれ未発生時では、波長合分波フィルタのフラットトップ特性により、少量の波長遷移による受光パワーの変化量ΔＰｒｅｃは閾値ΔＰｔｈを下回る。波長ずれ発生時では、波長遷移に伴って波長が透過波長域から外れ、受光パワーが減少して変化量ΔＰｒｅｃが閾値ΔＰｔｈを上回る。これにより光送信パワー減衰検知モードへと移行する。図９には、光送信パワー減衰検知モードへ移行したときの上り波長の波長ドリフトを示している。
【００７３】
光送信パワー減衰検知モードにおいて、ＯＬＴ２ａは、ＯＮＵ３に対して光送信パワーを報告するよう指示する。ＯＮＵ３は指示を受けた時点での光送信パワーを測定し、ＯＬＴ２ａに報告する。ＯＬＴ２ａは報告を受け、初期値からの光送信パワーの減少有無を確認する。ＯＬＴ２ａは、減少が確認されれば送信パワー異常の警報を発出し、運用者に通報する。ＯＬＴ２ａは、光送信パワーの減少が確認されなければ、受光パワーのみが減少したことになり、波長ずれが生じたと検知することが可能となる。これにより波長校正モードへと移行する。
【００７４】
波長校正モードにおいて、ＯＬＴ２ａは、仕様で定められたフラットトップ特性の半分の幅でＯＮＵ３の上り波長を遷移させることにより、元の波長位置に近づける。この時の波長遷移の方向は、通常モードから光送信パワー減衰検知モードへ移行した際の波長調整指示の方向とは逆の方向なるよう設定する。
【００７５】
図１０の処理の詳細を説明する。通常モードにおいて、ＯＬＴ２ａの監視制御部２３ａは、ＯＮＵ３に対して短波長側へ例えば５ＧＨｚずらすよう波長調整指示を送信する（ステップＳ４１１）。ＯＮＵ３の監視制御部３３は、波長調整指示に基づき、光送信器３２に設定している波長を短波長側へ変化させる。ＯＬＴ２ａの監視制御部２３ａは、受光パワーＰｒｅｃを測定する（ステップＳ４１２）。監視制御部２３ａは、ステップＳ４１２で測定された受光パワーＰｒｅｃの初期値からの変化量ΔＰｒｅｃが閾値ΔＰｔｈ未満であるかを判定する（ステップＳ４１３）。監視制御部２３ａは、変化量ΔＰｒｅｃが閾値ΔＰｔｈ未満であると判断した場合（ステップＳ４１３：ＹＥＳ）、ステップＳ４１４の処理を行う。
【００７６】
監視制御部２３ａは、ＯＮＵ３に対して長波長側へ例えば５ＧＨｚずらずよう波長調整指示を送信する（ステップＳ４１４）。ＯＮＵ３の監視制御部３３は、波長調整指示に基づき、光送信器３２に設定している波長を長波長側へ変化させる。ＯＬＴ２ａの監視制御部２３ａは、受光パワーＰｒｅｃを測定する（ステップＳ４１５）。監視制御部２３ａは、ステップＳ４１５で測定された受光パワーＰｒｅｃの初期値からの変化量ΔＰｒｅｃが閾値ΔＰｔｈ未満であるかを判定する（ステップＳ４１６）。監視制御部２３ａは、変化量ΔＰｒｅｃが閾値ΔＰｔｈ未満であると判断した場合（ステップＳ４１６：ＹＥＳ）、通常モードを維持し続け、ステップＳ４１１からの処理を繰り返す。
【００７７】
監視制御部２３ａは、短波長側へ波長調整した後の変化量ΔＰｒｅｃが閾値ΔＰｔｈ以上であると判断した場合（ステップＳ４１３：ＮＯ）、光送信パワー減衰検知モードに遷移し、ステップＳ４２１の処理を行う。監視制御部２３ａは、ＯＮＵ３に光送信パワーを報告するよう監視制御信号を用いて指示する。ＯＮＵ３の監視制御部３３は、指示を受けた時点での光送信器３２における光送信パワーＰｏｕｔを測定し、監視制御信号を用いてＯＬＴ２ａに報告する（ステップＳ４２１）。ＯＬＴ２ａの監視制御部２３ａは、監視制御信号により報告された光送信パワーＰｏｕｔが初期値から所定値以上減少したか否かを確認する（ステップＳ４２２）。監視制御部２３ａは、光送信パワーＰｏｕｔが初期値から所定値以上減少したと判断した場合（ステップＳ４２２：ＹＥＳ）、送信パワー異常の警報を発出し、運用者に通報する（ステップＳ４２３）。
【００７８】
一方、監視制御部２３ａは、光送信パワーＰｏｕｔが初期値から所定値以上減少していないと判断した場合（ステップＳ４２２：ＮＯ）、波長校正モードへ移行し、ステップＳ４４１の処理を行う。監視制御部２３ａは、ＯＮＵ３に対して長波長側への波長調整指示を送信する（ステップＳ４４１）。監視制御部２３ａは、通常モードに遷移し、ステップＳ４１１からの処理を繰り返す。
【００７９】
通常モードのステップＳ４１６において、ＯＬＴ２ａの監視制御部２３ａは、長波長側へ波長調整した後の変化量ΔＰｒｅｃが閾値ΔＰｔｈ以上であると判断した場合（ステップＳ４１６：ＮＯ）、光送信パワー減衰検知モードに遷移し、ステップＳ４３１の処理を行う。監視制御部２３ａは、ＯＮＵ３に光送信パワーを報告するよう監視制御信号を用いて指示する。ＯＮＵ３の監視制御部３３は、指示を受けた時点での光送信器３２における光送信パワーＰｏｕｔを測定し、監視制御信号を用いてＯＬＴ２ａに報告する（ステップＳ４３１）。ＯＬＴ２ａの監視制御部２３ａは、監視制御信号により通知された光送信パワーＰｏｕｔが初期値から所定値以上減少したか否かを確認する（ステップＳ４３２）。監視制御部２３ａは、光送信パワーＰｏｕｔが初期値から所定値以上減少したと判断した場合（ステップＳ４３２：ＹＥＳ）、送信パワー異常の警報を発出し、運用者に通報する（ステップＳ４３３）。
【００８０】
一方、監視制御部２３ａは、光送信パワーＰｏｕｔが初期値から所定値以上減少していないと判断した場合（ステップＳ４３２：ＮＯ）、波長校正モードへ移行し、ステップＳ４４２の処理を行う。監視制御部２３ａは、ＯＮＵ３に対して短波長側への波長調整指示を送信する（ステップＳ４４２）。監視制御部２３ａは、通常モードに遷移し、ステップＳ４１１からの処理を繰り返す。
【００８１】
本実施形態の適用により、波長合分波器がフラットトップ型の透過特性を有する場合の波長校正及び故障原因の切り分けをより簡易な構成で行うことが可能となる。フラットトップ型の透過特性を有するフィルタは、透過帯域から外れたときの光減衰量の変化がガウシアン型フィルタに比べて急峻である。そのため、少量の波長遷移を用いることで受光パワーのみを測定する場合よりも早期に波長すれを検出し、校正することが可能となる。
【００８２】
なお、ＯＬＴ２、２ａと接続される外部装置に、監視制御部２３、２３ａを備える構成、又は、監視制御部２３、２３ａの一部の機能を備える構成としてもよい。
【００８３】
以上説明した実施形態よれば、ＷＤＭ−ＰＯＮやＷＤＭ／ＴＤＭ−ＰＯＮのような波長多重化された光通信システムに、波長合分波回路としてＡＷＧ又は誘電体多層膜フィルタを用いる。そして、波長分離回路透過後の受光パワーをＯＬＴ２、２ａの光受信器２２、２２ａに内蔵されたモニタ用ＰＤによって測定するとともに、光送信パワーをＯＮＵ３の光送信器３２に内蔵された光送信パワーモニタ機能を用いて測定する。ＯＬＴ２、２ａは、これら２つの光パワーを通信事業者が事前に定めた頻度で測定し、波長割当やＯＮＵ登録等の初期接続動作時に測定した初期値と比較して、波長ずれを検知し波長校正を行う。従って、従来のように高価な狭線幅波長合分波器とＯＮＵと同数のパワーモニタ用の光受信器からなるパワーモニタ回路が不要で構成が簡易となり、低コスト化を図ることができる。また、本実施形態によれば、波長可変光源の波長ずれと光送信パワーの減少の切り分けができ、故障対応が迅速となるという効果がある。
【００８４】
上述したＯＬＴ２、２ａ及びＯＮＵ３は、バスで接続されたＣＰＵ（Central processing unit）やメモリや補助記憶装置などを備え、プログラムを実行することによって監視制御部２３、２３ａ、監視制御部３３を備える装置として機能する。なお、監視制御部２３、２３ａ及び監視制御部３３の各機能の全て又は一部は、ＡＳＩＣ（Application specific integrated circuit）やＰＬＤ（Programmable logic device）やＦＰＧＡ（Field programmable gate array）等のハードウェアを用いて実現されても良い。プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されても良い。
【００８５】
以上説明した実施形態によれば、光通信装置は、１台以上の他の光通信装置と波長多重により通信する。例えば、光通信装置はＯＬＴ２、２ａであり、他の光通信装置はＯＮＵ３である。光通信装置及び他の送信元装置は、監視制御信号の生成及び読取り機能を有しており、主信号に監視制御信号を重畳して送信する。光通信装置は、１台以上の光受信器と、監視制御部とを備える。各光受信器は、自光通信装置宛ての波長多重信号を波長分波器が波長分波して得られた異なる波長の光信号それぞれを受信する。監視制御部は、光受信器により受信した光信号の受光パワーと受光パワーの基準値との差分が閾値以内となるように、光信号の送信元の他の光通信装置である送信元装置に光送信器が光信号の送信に用いる波長を遷移させるよう指示する監視制御信号である波長調整指示を送信する。例えば、光受信器は光受信器２２であり、光送信器は光送信器３２である。
【００８６】
また、監視制御部は、送信元装置から光送信器における光送信パワーの通知を受け、通知された光送信パワーと、光送信器における光送信パワーの初期値との比較に基づいて、光送信器における送信パワー異常を検出する。なお、監視制御部は、受光パワーと基準値との差分が閾値以上であると判断した場合に、送信元装置に光送信器における光送信パワーを通知するように監視制御信号により指示してもよい。監視制御部は、当該指示に応じて送信元装置から通知された光送信パワーが初期値から所定以上減少したときには光送信器の異常と判断し、初期値からの減少が所定以内であるときには光送信器における波長ずれの発生と判断する。
【００８７】
波長分波器が、ガウシアン型の透過特性を有するフィルタ（例えば、ＡＷＧフィルタ４）である場合に、監視制御部は、受光パワーと基準値との差分が閾値以上であると判断したときには、送信元装置に波長調整指示を送信してもよい。監視制御部は、波長調整指示の送信前後の受光パワーの比較により波長ずれの方向を判断し、判断した波長ずれの方向に基づいて波長を遷移させるよう指示する波長調整指示を送信元装置に送信する。
【００８８】
また、波長分波器が、ガウシアン型の透過特性を有するフィルタである場合に、監視制御部は、受光パワーと基準値との差分が閾値以上であると判断したときには、光送信器により送信する光信号の波長を一定量遷移させるよう指示する波長調整指示を送信元装置に送信してもよい。監視制御部は、波長調整指示の送信を所定回数繰り返しても差分が閾値以内にならない場合に、送信元装置に光送信パワーの通知を監視制御信号により指示し、この指示に応じて送信元装置から通知された光送信パワーと初期値の光送信パワーとの比較に基づいて、光送信器の異常又は他の故障の発生を判断する。
【００８９】
また、波長分波器が、フラットトップ型の透過特性を有するフィルタ（例えば、誘電体多層膜フィルタ４ａ）である場合に、監視制御部は、送信元装置に光送信器が光信号の送信に用いる波長を所定の範囲内で長波長側及び短波長側へ遷移させるよう指示する波長調整指示を繰り返し送信してもよい。監視制御部は、波長調整指示の送信後に光受信器により受信した光信号の受光パワーと基準値との差分が閾値以上である場合に、光送信器において波長ずれが発生したと判断する。
【００９０】
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【産業上の利用可能性】
【００９１】
波長多重通信を行う光通信システムに適用可能である。
【符号の説明】
【００９２】
１、１ａ…光アクセスシステム，  ２、２ａ…ＯＬＴ，  ３…ＯＮＵ，  ２１…光送信器，  ２２…光受信器，  ２３、２３ａ…監視制御部，  ２４…制御信号重畳部，  ２５…制御信号抽出部，  ３１…光受信器，  ３２…光送信器，  ３３…監視制御部，  ３４…制御信号抽出部，  ３５…制御信号重畳部，  ４…ＡＷＧフィルタ，  ４ａ…誘電体多層膜フィルタ，  ５…光パワースプリッタ，  ６、７…光ファイバ
【図１】
2019153936.tif 000003
【図２】
2019153936.tif 000004
【図３】
2019153936.tif 000005
【図４】
2019153936.tif 000006
【図５】
2019153936.tif 000007
【図６】
2019153936.tif 000008
【図７】
2019153936.tif 000009
【図８】
2019153936.tif 000010
【図９】
2019153936.tif 000011
【図１０】
2019153936.tif 000012
【図１１】
2019153936.tif 000013